(57)【特許請求の範囲】
【請求項１】
並べて配置されるとともに、それぞれ電子機器を収容可能とされた複数の収容部を有する収容什器であって、
隣り合う前記収容部同士の一方の収容部に設けられ、該隣り合う収容部同士を画成するとともに、互いを連通する連通孔が穿設された仕切り板と、
前記一方の収容部の内部における第一固定部にて固定されるとともに、前記連通孔を閉塞し、被係合部が設けられたカバー部材と、
前記隣り合う収容部のうち他方の収容部の内部における第二固定部にて固定されるとともに、前記被係合部と係合する係合部が設けられたストッパー部材とを備え、
前記被係合部と前記係合部とが係合した状態で、前記カバー部材と前記ストッパー部材とが分離不能とされていることを特徴とする収容什器。
【請求項２】
請求項１に記載の収容什器において、
前記被係合部は、前記カバー部材の板厚方向に設けられた貫通孔であり、
前記係合部は、前記貫通孔に挿通された突出部であることを特徴とする収容什器。
【請求項３】
請求項１または請求項２に記載の収容什器において、
前記隣り合う収容部には、それぞれ前方に向かって開口する第一開口部、第二開口部が形成されており、
前記第一固定部及び前記第二固定部は、前記連通孔よりもそれぞれ前記第一開口部側、前記第二開口部側に位置していることを特徴とする収容什器。
【請求項４】
請求項１から請求項３のいずれか一項に記載の収容什器において、
前記電子機器は、サーバであり、
前記連通孔には、該サーバに接続される配線が挿通されていることを特徴とする収容什器。
【発明の詳細な説明】
【技術分野】
【０００１】
本発明は、収容什器に関するものである。
【背景技術】
【０００２】
一般に、サーバ等の電子機器は、サーバラックと呼ばれる収容什器に載置されてサーバルーム等の部屋で集中管理されている。
【０００３】
このようなサーバラックとしては、四方枠で構成される底部及び天部と、該底部及び天部の角部を連結する縦フレーム（垂直フレーム）と、該底部と天部との間に設けられサーバを設置可能とされた略矩形状の棚板とを有する構成が提案されている（下記特許文献１、２参照）。
【０００４】
また、上記のサーバラックにおいては、側面を構成する縦フレーム間は開放された開口部を形成しているため該開口部を介して、当該サーバラックに設置されたサーバと、隣接するサーバラックに設置されたサーバとがケーブルにて接続可能とされており、開口部は隣接するサーバ同士の接続上有効である。
【先行技術文献】
【特許文献】
【０００５】
【特許文献１】特開２０１１−１５５２１１号公報
【特許文献２】特許第２５７０１９１号公報
【発明の概要】
【発明が解決しようとする課題】
【０００６】
ここで、上記の特許文献１等に記載のサーバラックを隣接設置し、それぞれのサーバラックを別々の使用者が使用する場合がある。この場合には、開口部を介して他のクライアントのサーバラックに設置されたサーバへのアクセスが可能となりセキュリティー上好ましくないため、開口部を閉塞することが望まれている。
【０００７】
本発明は、上記事情に鑑みてなされたものであり、隣接する収容什器の両側からの操作により開口部を開口可能とすることで、安全性を向上させた収容什器を提供するものである。
【課題を解決するための手段】
【０００８】
上記目的を達成するために、本発明は以下の手段を採用している。
すなわち、本発明に係る収容什器は、並べて配置されるとともに、それぞれ電子機器を収容可能とされた複数の収容部を有する収容什器であって、隣り合う前記収容部同士の一方の収容部に設けられ、該隣り合う収容部同士を画成するとともに、互いを連通する連通孔が穿設された仕切り板と、前記一方の収容部の内部における第一固定部にて固定されるとともに、前記連通孔を閉塞し、被係合部が設けられたカバー部材と、前記隣り合う収容部のうち他方の収容部の内部における第二固定部にて固定されるとともに、前記被係合部と係合する係合部が設けられたストッパー部材とを備え、前記被係合部と前記係合部とが係合した状態で、前記カバー部材と前記ストッパー部材とが分離不能とされていることを特徴とする。
【０００９】
このような収容什器では、一方の収容部に設けられた仕切り板の連通孔を、該一方の収容部の内部に固定されたカバー部材で閉塞することができる。このとき、カバー部材に設けられた被係合部は、他方の収容部の内部に固定されたストッパー部材の係合部と係合されており、該カバー部材とストッパー部材とは分離不能とされている。ここで、該カバー部材を連通孔から取り外すためには、第一固定部においてカバー部材を取り外し、第二固定部においてストッパー部材を取り外すとともに、被係合部と係合部との係合を外さなければならない。よって、一方の収容部及び他方の収容部のいずれか一方側からのみの操作では連通孔は開口せず、一方の収容部の内部及び他方の収容部の内部からの取り外し操作によらなければ連通孔は開口しない。したがって、一方の収容部側から他方の収容部側へアクセスして該一方の収容部に配設された機器や該機器内の情報の盗難、いたずら等を防止することができるため、什器としての安全性を向上させることができる。
また、上記のように連通孔が閉塞された状態から開口された状態へと変更が可能であるため、利用者の使い勝手を向上させることができる。
【００１０】
また、本発明に係る収容什器は、前記被係合部は、前記カバー部材の板厚方向に設けられた貫通孔であり、前記係合部は、前記貫通孔に挿通された突出部であることが好ましい。
【００１１】
このような収容什器では、貫通孔に突出部を係合することで、カバー部材とストッパー部材とを確実に係合することができる。よって、カバー部材で連通孔を確実に閉塞された状態を維持することができる。したがって、一方の収容部側から他方の収容部側へアクセスして該一方の収容部に配設された機器や該機器内の情報の盗難、いたずら等を防止することができるため、什器としての安全性を向上させることができる。
【００１２】
また、本発明に係る収容什器は、前記隣り合う収容部には、それぞれ前方に向かって開口する第一開口部、第二開口部が形成されており、前記第一固定部及び前記第二固定部は、前記連通孔よりもそれぞれ前記第一開口部側、前記第二開口部側に位置していてもよい。
【００１３】
このような収容什器では、第一開口部及び第二開口部から、第一固定部及び第二固定部におけるカバー部材及びストッパー部材の固定と取り外しが可能であるため、利用者の使い勝手を向上させることができる。
一般に、収容什器内に電子機器が収容されている場合には該電子機器に接続された配線が煩雑に配設されているがことがある。このような場合に、カバー部材及びストッパー部材の固定と取り外しを第一開口部及び第二開口部からできるため、利用者の使い勝手を向上させることができる。
【００１４】
また、本発明に係る収容什器は、前記電子機器は、サーバであり、前記連通孔には、該サーバに接続される配線が挿通されていることを特徴とする。
【００１５】
このような収容什器では、一方の収容部及び他方の収容部にそれぞれサーバを収容し、連通孔を介してそれぞれのサーバの配線を接続することができる。
【発明の効果】
【００１６】
本発明に係る収容什器によれば、カバー部材に設けられた被係合部は、一方の収容部の内部及び他方の収容部の内部からの取り外し操作によらなければ連通孔の開口しないため、安全性を向上させることができる。
【図面の簡単な説明】
【００１７】
【図１】本発明の一実施形態に係る収容什器の一例であるサーバラック装置の正面図である。
【図２】本発明の一実施形態に係るサーバラック装置を構成する一方の収容部と他方の収容部を分解した状態を一の方向から見た分解斜視図である。
【図３】本発明の一実施形態に係るサーバラック装置を構成する一方の収容部と他方の収容部を分解した状態を他の方向から見た分解斜視図である。
【図４】本発明の一実施形態に係るサーバラック装置を構成する一方の収容部と他方の収納部との接合箇所の前側断面図である。
【図５】本発明の一実施形態に係るサーバラック装置を構成する一方の収容部と他方の収納部との接合箇所の後側断面図である。
【図６】本発明の一実施形態に係るサーバラック装置を構成する一方の収容部を一の方向から見た斜視図である。
【図７】本発明の一実施形態に係るサーバラック装置を構成する一方の収容部に固定されたカバー部材を内方から見た図である。
【図８】本発明の一実施形態に係るサーバラック装置を構成する一方の収容部に固定されたカバー部材の斜視図である。
【図９】本発明の一実施形態に係るサーバラック装置を構成する一方の収容部に固定された別のカバー部材の斜視図である。
【図１０】本発明の一実施形態に係るサーバラック装置を構成する他方の収納部に固定されストッパー部材の斜視図である。
【図１１】本発明の一実施形態に係るサーバラック装置を構成する他方の収納部を他の方向から見た斜視図である。
【発明を実施するための形態】
【００１８】
以下、本発明の一実施形態に係る収容什器の一例として、サーバ等の電子機器（不図示。以下同じ。）を収容するサーバラック装置について説明する。
なお、サーバとは、ネットワークに接続され、クライアント（パソコン等）からの要求にしたがって処理を行う装置である。
【００１９】
図１は、サーバラック（収容部）が並べて３個配置されたサーバラック装置の正面図である。
ここで、便宜上、図１に示す左右方向を左右方向、紙面の奥行き方向を前後方向、上下方向を上下方向と称する。
【００２０】
図１に示すように、サーバラック装置２は、サーバをそれぞれ収容可能な収容部として複数のサーバラック１，２００，３００を備えている。
具体的には、本実施形態において、サーバラック装置２は、第一のサーバを収容可能とされた第一サーバラック（一方の収容部）１と、該第一サーバラック１に隣接して第二のサーバを収容可能とされた第二サーバラック（他方の収容部）２００と、該第二サーバラック２００と隣接して第三のサーバを収容可能とされた第三サーバラック３００とを有している。
【００２１】
そして、サーバラック装置２は、隣り合うサーバラック１，２００，３００を互いに連通する連通孔５２等を閉塞可能な構成を有している。以下、詳細に説明する。
【００２２】
（第一サーバラック）
図２及び図３に示すように、第一サーバラック１は、底壁部１０と、該底壁部１０から立設する前壁部２０と、該前壁部２０と直交する第一側壁部４０及び第二側壁部５０（仕切り板）と、該第一側壁部４０と第二側壁部５０とを連結する後壁部７０と、底壁部１０と対向する上壁部１５とを有している。
【００２３】
底壁部１０は、四方枠状の底フレーム１１と、該底フレーム１１内に設けられた板状部材の床壁本体１２とを有している。
上壁部１５は、床壁部と対向した構成であり、四方枠状の上フレーム１６と、該上フレーム１６内に設けられた板状部材の上壁本体１７とを有している。
【００２４】
前壁部２０は、底フレーム１１の前部と上フレーム１６の前部とを連結する左右一対の前フレーム２１と、底フレーム１１の前部、上フレーム１６の前部及び前フレーム２１で囲まれた部分内に設けられた前扉部２２とを有している。
【００２５】
図４に示すように、前フレーム２１は、前部を形成する前壁本体３０と、該前壁本体３０の一端から折曲して前後方向に延在する第一折曲前壁部３１と、該第一折曲前壁部３１の端部から左右方向内方に向かって折曲した第二折曲前壁部３２と、該第二折曲前壁部３２の端部から後方に折曲した第三折曲前壁部３３と、該第三折曲前壁部３３の端部から左右方向外方に向かって折曲した第四折曲前壁部３４とを有している。
【００２６】
さらに、前フレーム２１は、前壁本体３０の他端から折曲して前後方向に延在する第五折曲前壁部３５と、該第五折曲前壁部３５の端部から左右方向内方に向かって折曲した第六折曲前壁部３６と、該第六折曲前壁部３６の端部から後方に向かって折曲した第七折曲前壁部３７とを有している。
【００２７】
第三折曲前壁部３３には、カバー部材を固定可能とする板厚方向に貫通する第一前壁孔部３９（第一固定部）が穿設されている。
【００２８】
図２に示すように、前扉部２２にはその表面の左側に前把手２３が設けられており、該前扉部２２は右側に設けられた上下方向を軸線方向とする回動軸（不図示。以下同じ。）を中心として、前方に回動可能とされている。ここで、前把手２３を把持して前方に引き前扉部２２が開いた状態で、第一サーバラック１では前方に向かって開口する第一開口部２４が形成される。
【００２９】
後壁部７０は、前壁部２０と対向した構成であり、底フレーム１１の後部と上フレーム１６の後部とを連結する左右一対の後フレーム７１と、底フレーム１１の後部、上フレーム１６の後部及び後フレーム７１とで囲まれた部分内に設けられた後扉部７２とを有している。
【００３０】
図５に示すように、後フレーム７１は、後部を形成する後壁本体８０と、該後壁本体８０の一端から折曲して前後方向に延在する第一折曲後壁部８１と、該第一折曲後壁部８１の端部から左右方向内方に向かって折曲した第二折曲後壁部８２と、該第二折曲後壁部８２の端部から前方に折曲した第三折曲後壁部８３と、該第三折曲後壁部８３の端部から左右方向外方に向かって折曲した第四折曲後壁部８４とを有している。
【００３１】
さらに、後フレーム７１は、後壁本体８０の他端から折曲して前後方向に延在する第五折曲後壁部８５と、該第五折曲後壁部８５の端部から左右方向内方に向かって折曲した第六折曲後壁部８６と、該第六折曲後壁部８６の端部から前方に向かって折曲した第七折曲後壁部８７とを有している。
第三折曲後壁部８３には、板厚方向に貫通する第一後壁孔部８９が穿設されている。
【００３２】
後扉部７２にはその表面の右側に後把手（不図示。以下同じ。）が設けられており、該後扉部７２は右側に設けられた上下方向を軸線方向とする回動軸（不図示。以下同じ。）を中心として、後方に回動可能とされている。ここで、後把手を把持して後方に引き後扉部７２が開いた状態で、第一サーバラック１では後方に向かって開口する後側開口部（不図示。以下同じ。）が形成される。
【００３３】
図３に示すように、第一側壁部４０は、底フレーム１１の左部、上フレーム１６の左部、前フレーム２１の左部及び後フレーム７１の左部とで囲まれた部分内に設けられた板状部材である。
【００３４】
（第二側壁部（仕切り板））
図６に示すように、第二側壁部５０は、底フレーム１１の右部、上フレーム１６の右部、前フレーム２１の右部及び後フレーム７１の右部とで囲まれた部分内に設けられた板状部材である。
【００３５】
側壁本体５１には、上下方向及び前後方向に間隔を有して板厚方向に貫通する前側の第一連通孔５２（連通孔）と後側の第二連通孔５３とが穿設されている。この第一連通孔５２及び第二連通孔５３には、サーバに接続される配線（不図示。以下同じ。）が挿通可能とされている。
【００３６】
図４に示すように、前フレーム２１に穿設された第一前壁孔部３９は、この第一連通孔５２よりも第一開口部２４側に位置している。
また、図４及び図５に示すように、第一連通孔５２及び第二連通孔５３の外縁部には、パッキン等で構成される緩衝部材５９が設けられている。
【００３７】
図４に示すように、この第二側壁部５０は、前部において、第一サーバラック１と第二サーバラック２００とを画成する側壁本体５１と、該側壁本体５１の前部から前フレーム２１の第二折曲前壁部３２に沿って折曲した第一折曲側壁部６１と、該第一折曲側壁部６１の端部から第三折曲前壁部３３に沿って折曲した第二折曲側壁部６２とを有している。
【００３８】
図５に示すように、さらにこの第二側壁部５０は、側壁本体５１の後部から後フレーム７１の第二折曲後壁部８２に沿って折曲した第三折曲側壁部６３と、該第三折曲側壁部６３の端部から第三折曲後壁部８３に沿って折曲した第四折曲側壁部６９とを有している。
【００３９】
また、図４に示すように、第二側壁部５０には、第一連通孔５２の後部に、後述するカバー部材１００を支持する前カバー支持部５４が形成されている。前カバー支持部５４は、側壁本体５１に沿って設けられた前後一対の前支持底部５５と、該前支持底部５５の端部から立設する前後一対の前支持立設部５６と、該一対の前支持立設部５６を連結する前支持連結部５７とを有している。
一対の前支持立設部５６のうち前側の前支持立設部５６には、板厚方向に貫通する挿入孔５８が設けられている。
【００４０】
また、図５に示すように、第二側壁部５０には、第二連通孔５３の前部に、後述する第二カバー部材１２０を支持する後カバー支持部６４が形成されている。後カバー支持部６４は、側壁本体５１に沿って設けられた前後一対の後支持底部６５と、該後支持底部６５の端部から立設する前後一対の後支持立設部６６と、該一対の後支持立設部６６を連結する後支持連結部６７とを有している。
【００４１】
（第一カバー部材（カバー部材））
また、図７に示すように、第一連通孔５２には第一カバー部材１００（カバー部材）が設けられ、第二連通孔５３には第二カバー部材１２０が設けられている。
【００４２】
図４及び図８に示すように、第一カバー部材１００は、第一連通孔５２を閉塞する第一カバー本体１０１と、該第一カバー本体１０１の前部から折曲した第一カバー折曲壁部１０２と、該第一カバー折曲壁部１０２の端部から前フレーム２１の第三折曲前壁部３３に沿って配設された第一カバー固定壁部１０３と、該第一カバー固定壁部１０３の端部から第二折曲前壁部３２と係合された第一カバー係合壁部１０４とを有している。
【００４３】
第一カバー固定壁部１０３には、上下方向に離間して板厚方向に貫通する第一カバー孔部１０５が穿設されている。
この第一カバー孔部１０５と前フレーム２１の第三折曲前壁部３３に穿設された第一前壁孔部３９とは連通されており、第一カバー孔部１０５側から第一ボルト１１１が螺合され第一前壁孔部３９側から第一ナット１１２にて締め付けられている。このようにして、第一カバー部材１００は第一サーバラック１の内部において固定されている。
【００４４】
また、第一カバー本体１０１の後部には、上下方向に幅を狭めた第一カバー挿入部１０８が形成されている。この第一カバー挿入部１０８が第二側壁部５０に形成された前支持立設部５６の挿入孔５８に挿入されて、第一カバー部材１００は前支持立設部５６に支持されている。
【００４５】
第一カバー折曲壁部１０２には、第一カバー本体１０１と連続する部分において板厚方向に貫通する貫通孔であり、ストッパー部材１４０係合用の被係合部１０９が設けられている。
【００４６】
図５及び図９に示すように、第二カバー部材１２０は、第二連通孔５３を閉塞する第二カバー本体１２１と、該第二カバー本体１２１の後部から折曲した第二カバー折曲壁部１２２と、該第二カバー折曲壁部１２２の端部から後フレーム７１の第三折曲後壁部８３に沿って配設された第二カバー固定壁部１２３とを有している。
【００４７】
さらに、第二カバー部材１２０は、第二カバー本体１２１の上部から折曲された第二カバー上壁部１２４と、該第二カバー上壁部１２４の端部から折曲された第二カバー上折曲壁部１２５と、第二カバー本体１２１の下部から折曲された第二カバー下壁部１２６と、該第二カバー下壁部１２６の端部から折曲された第二カバー下折曲壁部１２７とを有している。
【００４８】
第二カバー固定壁部１２３には、上下方向に離間して板厚方向に貫通する第二ストッパー孔部１２９が穿設されている。
この第二ストッパー孔部１２９と後フレーム７１の第三折曲後壁部８３に穿設された第一後壁孔部８９とは連通されており、第二ストッパー孔部１２９側から第二ボルト１３１が螺合され第一後壁孔部８９側から第二ナット１３２にて締め付けられている。このようにして、第二カバー部材１２０は第一サーバラック１の内部において固定されている。
【００４９】
（第二サーバラック）
図２及び図３に示すように、第二サーバラック２００は、底壁部２１０と、該底壁部２１０から立設する前壁部２２０と、該前壁部２２０と直交する第二側壁部２５０（仕切り板）と、前壁部２２０と対向する後壁部２７０と、底壁部２１０と対向する上壁部２１５とを有している。
【００５０】
底壁部２１０、前壁部２２０、第二側壁部２５０、後壁部２７０及び上壁部２１５は、第一サーバラック１を構成する底壁部１０、前壁部２０、第二側壁部５０、後壁部７０及び上壁部１５と同一であるため、説明を省略する。
すなわち、第一連通孔２５２には第一カバー部材１００が設けられ、第二連通孔２５３には第二カバー部材１２０が設けられている。
【００５１】
また、前壁部２２０における前扉部２２２が開いた状態で、第二サーバラック２００に前方に向かって開口する開口部を、第二開口部２２４とする。
【００５２】
（ストッパー部材）
図４及び図１０に示すように、前フレーム２２１には、第一サーバラック１に設けられた第一カバー部材１００と対応する位置に、ストッパー部材１４０が設けられている。
【００５３】
ストッパー部材１４０は、前フレーム２２１の第三折曲前壁部２３３に沿って配設されたストッパー固定壁部１４１と、該ストッパー固定壁部１４１の一端から第二折曲前壁部２３２と係合されたストッパー係合壁部１４２と、ストッパー固定壁部１４１の他端から折曲されたストッパー折曲壁部１４３とを有している。
【００５４】
ストッパー固定壁部１４１には、上下方向に離間して板厚方向に貫通するストッパー孔部１４４が穿設されている。
このストッパー孔部１４４と前フレーム２２１の第三折曲前壁部２３３に穿設された第一前壁孔部２３９（第二固定部）とは連通されており、ストッパー孔部１４４側から第三ボルト１５１が螺合され第一前壁孔部２３９側から第三ナット１５２にて締め付けられている。このようにして、ストッパー部材１４０は第二サーバラック２００の内部において固定されている。
【００５５】
また、前フレーム２２１に穿設された第一前壁孔部２３９は、第一連通孔５２よりも第二開口部２２４側に位置している。
【００５６】
ストッパー折曲壁部１４３の端部には、上下方向の幅を狭めるとともに後方に向かって折曲した係合部１４９が設けられている。
係合部１４９は、第一カバー部材１００に設けられた貫通孔である被係合部１０９に挿通された突出部であり、該係合部１４９は被係合部１０９と係合されている。
【００５７】
また、図５及び図１１に示すように、後フレーム２７１の第三折曲後壁部２８３には、
第一サーバラック１と同様に第二カバー部材１２０が固定されている。
【００５８】
（第三サーバラック）
図２及び図３に示すように、第三サーバラック３００は、底壁部３１０と、該底壁部３１０から立設する前壁部３２０と、該前壁部３２０と直交する第二側壁部３５０と、前壁部３２０と対向する後壁部３７０と、底壁部３１０と対向する上壁部３１５とを有している。
【００５９】
底壁部３１０、前壁部３２０、後壁部３７０及び上壁部３１５は、第一サーバラック１を構成する底壁部１０、前壁部２０、第二側壁部５０、後壁部７０及び上壁部１５と同一であるため、説明を省略する。
【００６０】
すなわち、前壁部３２０には第二サーバラック２００と同様にストッパー部材１４０が設けられ、後壁部３７０には、第二サーバラック２００と同様に第二カバー部材１２０が設けられている。
また、第二側壁部３５０は、第一サーバラック１を構成する第一側壁部４０を対向配置した構成であるため、説明を省略する。
【００６１】
次に、第一カバー部材１００とストッパー部材１４０との固定手順について、第一サーバラック１と第二サーバラック２００とを例に挙げて説明する。
まず、図４に示すように、第一サーバラック１において、第一カバー部材１００の第一カバー固定壁部１０３を前フレーム２１の第三折曲前壁部３３に当接させる。次いで、第一カバー部材１００の第一カバー挿入部１０８を、第二側壁部５０に形成された前カバー支持部５４の挿入孔５８に挿入する。
【００６２】
そして、第一カバー固定壁部１０３に穿設された第一カバー孔部１０５と第三折曲前壁部３３に穿設された第一前壁孔部３９とを連通し、第一カバー孔部１０５側から第一ボルト１１１を螺合して第一前壁孔部３９側から第一ナット１１２にて締め付ける。このようにして、第一カバー部材１００を第一サーバラック１の内部において固定する。
【００６３】
次いで、ストッパー部材１４０に設けられた係合部１４９を、第一サーバラック１に固定された第一カバー部材１００に設けられた被係合部１０９に係合させる。
【００６４】
そして、第二サーバラック２００の第三折曲前壁部２３３に穿設された第一前壁孔部２３９と、ストッパー部材１４０のストッパー固定壁部１４１に穿設されたストッパー孔部１４４とを連通し、ストッパー孔部１４４側から第三ボルト１５１を螺合して第一前壁孔部２３９側から第三ナット１５２にて締め付ける。これにより、第一連通孔５２は第一カバー部材１００にて閉塞される。
【００６５】
次に、第一カバー部材１００とストッパー部材１４０との取り外し手順について説明する。
まず、第二サーバラック２００において、ストッパー部材１４０に螺着された第三ボルト１５１と第三ナット１５２とを緩めて、該ストッパー部材１４０を前フレーム２２１から取り外す。
【００６６】
次いで、第一カバー部材１００の被係合部１０９とストッパー部材１４０の係合部１４９との係合を外す。
【００６７】
そして、第一サーバラック１において、第一カバー部材１００に螺着された第一ボルト１１１と第一ナット１１２とを緩めて、該第一カバー部材１００を前フレーム２１から取り外す。これにより、第一連通孔５２は開口された状態となる。
【００６８】
このように構成されたサーバラック装置２では、第一サーバラック１に設けられた第二側壁部５０の第一連通孔５２を、該第一サーバラック１の内部に固定された第一カバー部材１００で閉塞することができる。このとき、第一カバー部材１００に設けられた被係合部１０９は、第二サーバラック２００の内部において固定されたストッパー部材１４０の係合部１４９と係合しており、該第一カバー部材１００とストッパー部材１４０とは分離不能とされている。
【００６９】
ここで、第一カバー部材１００を第一連通孔５２から取り外して該第一カバー部材１００が開口された状態とするためには、被係合部１０９と係合部１４９との係合を外すとともに、第一カバー部材１００に螺合された第一ボルト１１１と第一ナット１１２とを緩め、ストッパー部材１４０に螺合された第三ボルト１５１と第三ナット１５２とを緩めなければならない。よって、第一サーバラック１及び第二サーバラック２００のいずれか一方側からのみの操作では第一連通孔５２は開口せず、第一サーバラック１の内部及び第二サーバラック２００の内部からの取り外し操作によらなければ第一連通孔５２は開口しない。したがって、例えば第一サーバラック１から第二サーバラック２００へアクセスして第二のサーバや該第二のサーバ内の情報の盗難、いたずら等を防止することができるため、什器としての安全性を向上させることができる。
【００７０】
また、上記のように第一連通孔５２が閉塞された状態から、開口された状態へと変更が可能であるため、利用者の使い勝手を向上させることができる。
【００７１】
例えば、同一の利用者が、第一サーバラック１に収容された第一のサーバと、第二サーバラック２００に収容された第二のサーバとを使用する場合には、第一連通孔５２が開口された状態とする。これにより、第一のサーバに接続された配線を第一連通孔５２に通して、第二のサーバに接続することができるため、利便性が高い。
【００７２】
一方、異なる利用者が、第一のサーバと第二のサーバとを使用する場合には、第一連通孔５２が閉塞された状態とする。これにより、第一サーバラック１側からは第二のサーバに進入することができず、かつ第二サーバラック２００側からは第一のサーバに進入することができないため、第一サーバ及び第二サーバの什器としての安全性を向上させることができる。
【００７３】
また、上記の第一連通孔５２が開口された状態と閉塞された状態との切替は、第一ボルト１１１及び第一ナット１１２、第三ボルト１５１及び第三ナット１５２の締め付けと取り外しとともに、被係合部１０９と係合部１４９との係合と係合の外しにより可能である。よって、簡易な作業で容易に切替が可能であるため、利用者の使い勝手を向上させることができる。
【００７４】
また、前フレーム２１に穿設された第一前壁孔部３９，２３９は、第一連通孔５２，２５２よりもそれぞれ第一開口部２４側、第二開口部２２４側に位置している。よって、該第一開口部２４、第二開口部２２４から第一カバー部材１００及びストッパー部材１４０の固定及び取り外しが可能であるため、利用者の使い勝手を向上させることができる。
【００７５】
具体的には、第一サーバラック１内に第一のサーバが、第二サーバラック２００内に第二のサーバがそれぞれ収容されている場合、第一サーバラック１及び第二サーバラック２００内には第一のサーバ及び第二のサーバに接続された配線が煩雑に配設されているがことがある。このような場合に、第一カバー部材１００及びストッパー部材１４０の固定と取り外しを第一開口部２４及び第二開口部２２４からできるため、利用者の使い勝手を向上させることができる。
【００７６】
また、上述した実施の形態において示した動作手順、あるいは各構成部材の諸形状や組み合わせ等は一例であって、本発明の主旨から逸脱しない範囲において設計要求等に基づき種々変更可能である。
【００７７】
例えば、第二側壁部５０の後部に設けられた第二連通孔５３にも第一カバー部材１００とストッパー部材１４０とを設けてもよい。この場合には、第二連通孔５３が閉塞された状態から開口された状態へと変更が可能であるため、利用者の使い勝手をより一層向上させることができる。
また、第一カバー部材１００とストッパー部材１４０との固定及び取り外しは、後扉部７２（不図示。以下同じ。）から可能であるため、利用者の使い勝手を向上させることができる。
【００７８】
また、第一カバー部材１００、ストッパー部材１４０の前フレーム２１，２２１の第三折曲前壁部３３，２３３への固定は、第一ボルト１１１、第三ボルト１５１と、該第三折曲前壁部３３，２３３に設けられた雌ねじ（不図示）による螺合であってものでもよい。この場合には、第一サーバラック１と第二サーバラック２００とを隣接配置した後に、該第一サーバラック１の内側及び第二サーバラック２００の内側から、第一カバー部材１００、ストッパー部材１４０の固定と取り外しが可能である。
【符号の説明】
【００７９】
１…第一サーバラック（一方の収容部）
２…サーバラック装置（収容什器）
２４…第一開口部
３９…第一前壁孔部（第一固定部）
５０…第二側壁部（仕切り板）
５２…第一連通孔（連通孔）
１００…第一カバー部材（カバー部材）
１０９…被係合部
１４０…ストッパー部材
１４９…係合部
２００…第二サーバラック（他方の収容部）
２２４…第二開口部
２３９…第一前壁孔部（第二固定部）
【図１】
0005914154.tif 000002
【図２】
0005914154.tif 000003
【図３】
0005914154.tif 000004
【図４】
0005914154.tif 000005
【図５】
0005914154.tif 000006
【図６】
0005914154.tif 000007
【図７】
0005914154.tif 000008
【図８】
0005914154.tif 000009
【図９】
0005914154.tif 000010
【図１０】
0005914154.tif 000011
【図１１】
0005914154.tif 000012